(57)【要約】ピンシリンダーの内筒のピン穴の両サイドにアンチバンプキー・ピンをトラップするためのアンチバンプキー・ピン穴を設け、上ピンとしてアンチバンプキー・ピンとミドルピン、下ピンの３つのピンから構成されるピンの組み合せを使用することによって達成される。バンプキーによって内筒が回転した瞬間にアンチバンプキー・ピンがアンチバンプキー・ピン穴に落ち込んでトラップされ、内筒がロックされる。この状態をデッドロックと呼び、この状態になると内筒の回転が完全にロックし、内筒を戻すことも出来ず、完全に固定されて挿入されていたバンプキー自身も抜けなくなる。これまでのピックガン等による不正開錠やピッキングに関しても効果がある。
2008050464.tif 000002
【特許請求の範囲】
【請求項１】
シリンダー内筒表面にアンチバンプキー・ピン穴部を設けるとともに、上ピンとして、当該アンチバンプキー・ピン穴部に落ちてトラップされる端部を備えるアンチバンプキー・ピンと、アンチバンプキー・ピン穴部に落ちることなく、アンチバンプキー・ピンの作用を遮蔽するミドルピンを当該アンチバンプキー・ピンと下ピンとの中間に備えたバンプキー対策用シリンダー構造を特徴とするアンチバンプキー・シリンダー。
【請求項２】
下ピンとミドルピンとの合計の長さが、バンプキーを挿入した際にシャーライン以下になるように調整されたピン構成を特徴とする請求項１記載のアンチバンプキー・シリンダー。
【請求項３】
純正キーを使用した際に、下ピンとミドルピンの間にシャーラインが位置するよう構成されたことを特徴とする請求項１または２に記載のアンチバンプキー・シリンダー。
【請求項４】
バンプキーを使用した際に、ミドルピンとアンチバンプキー・ピンの間にシャーラインが位置するよう構成されたことを特徴とする請求項１または２に記載のアンチバンプキー・シリンダー。
【請求項５】
シリンダー内筒表面に複数組みのアンチバンプキー・ピン穴部を備え、当該アンチバンプキー・ピン穴部に対応すべくアンチバンプキー・ピンとミドルピンを組合せた上ピン構造を有することを特徴とする請求項１〜４に記載のアンチバンプキー・シリンダー。
【発明の詳細な説明】
【技術分野】
【０００１】
本発明は、ピンを用いた全てのシリンダー錠に共通の致命的な弱点を利用したバンプキー（ｂｕｍｐ  ｋｅｙ）による不正開錠操作に関し、シリンダー内筒の回転をロックすることによってバンプキーによる不正開錠を阻止できるアンチバンプキー・シリンダーに関する。
【背景技術】
【０００２】
従来、ピンを用いたシリンダー錠を純正キー以外の特殊工具で開錠する場合、ピックという専用工具を用いて、テンションをかけながら個々の下ピンを持ち上げて上ピンと下ピンの境をシャーラインに揃えて内筒を回したり、レーキングという方法で同様にシャーラインに揃えて内筒を回したりする方法や、ピックガンあるいは電動ピックガンという工具で、下ピンに衝突エネルギーを与えて、ニュートン力学に従って上ピンのみを跳ね上げて、一瞬シャーラインをフリーにする方法で内筒を回す方法が知られている。これらの従来法は、特殊な工具とこれらの工具を扱う熟練した技術やノウハウが必要で、それなりに訓練をした者が使える方法で素人が誰でも出来るような方法ではなかった。しかし、これらの従来法よりも効率的に短時間で、しかも熟練した技術も必要としない開錠方法、すなわちバンプキー（ｂｕｍｐ  ｋｅｙ）による開錠手法が大きな問題になろうとしている。この方法の一番の特徴は、各シリンダーに特有のバンプキーさえ作ってしまえば、その１本のバンプキーで、それに対応した全てのシリンダーが一瞬にして開錠可能になることである。また特殊な技術を必要としないため専門家でなくても簡単に開けることができてしまうほどの容易な手法であることから、この方法が広く知れ渡ると、全世界の約８割近いピンシリンダーは、バンプキーによる不正開錠の脅威に曝されることになる。つまり、ピッキング手口よりも深刻な事態になることは間違いなく、ピンシリンダーメーカーの存続にも影響を及ぼす大きな問題となる可能性がある。
さて、このバンプキーとは、ピンシリンダーに固有のピンの段差のうち、もっとも長い下ピンに対応したキーのカットを全てのピン位置についてカットしたキーを指し、このバンプキーをシリンダーの鍵穴に挿入した状態で若干の隙間を持たせてハンマーのようなもので叩き込むことにより、そのシリンダーに内装された全ての下ピンに一斉に衝突エネルギーを与えることができる。つまり、キーに切削された鍵山（谷）と鍵山（谷）の間のスロープ（傾斜面）に下ピンの先端が衝突する。この衝突エネルギーは、下ピンに接する上ピンに伝わり、ピックガンと同様の原理で上ピンが弾き飛ばされ、一瞬、上ピンが跨いでいたシャーラインがフリーになり、内筒が回転可能な状況ができる。この一瞬を狙い内筒に回転応力を掛けておくと、内筒はいとも簡単に回転し、その結果、開錠されてしまう。基本原理はピックガンなどと同じ原理であるが、最大の違いは、ピックガンは一度に全ての下ピンに均等に衝突エネルギーを与えることが非常に困難であることに対して、バンプキーは一度に均等の衝突エネルギーを全ての下ピンに同時に与えることができることである。従って、ピッキング対策として様々に工夫されたピン形状、例えばマッシュルーム型の上ピンや両端部の径を大きくしたような上ピンであっても、全く関係なく一瞬にして弾き飛ばされシャーラインがフリーになってしまう。また、ピッキング対策として複雑で狭いキーウェイをもった内筒であっても、純正キーと同じ形状のキーを深い段差でカットして使用するためキーウェイの複雑さはバンプキーの使用には何ら影響を及ぼさない。
また、ピッキングやバンプキーによる不正開錠の最も恐ろしい共通点は、その結果が証拠として残らない無傷開錠手口に分類されることである。つまり、バンプキーによって開錠された場合、ピッキングによる手口と同じく、開錠された形跡が全く残らないため、家人が不在中に侵入され、待ち伏せ強盗や強姦、殺人などに発展したり、金品を取らないで、クレジットカードや銀行カード等のデータをスキミングして犯行に気付かれずに現金を引き出したり、盗聴・盗撮を目的として侵入して、逆サムターン回しの手口で施錠して出て行けば、全く侵入に気付かれないで犯行を犯すことが可能となる。つまり、破壊開錠による侵入よりもいろいろな面で恐ろしい手口に成り得る。
これまで、無傷開錠手口の中で代表的手法であったピッキングよりも、さらに恐ろしい手口がバンプキーによる方法である。ピッキングよりも拡がり易い可能性を持っており、今後は世界中のピンシリンダーが、この手口の脅威に曝されることになる。その理由として、次の３つの要因が挙げられる。
まず第１に、バンプキーはピッキング工具のような特殊工具ではないことが挙げられる。すなわち、バンプキーは、その種のシリンダーに使用されている純正キーを使って、最深度に切削すれば誰でも容易に製作できてしまう。この点が、同じ無傷開錠のピッキング手口よりも注意しなければいけない点であるが、特殊工具でないために法律でその所持を取り締まるわけにもいかず、この手口の浸透を防ぐ方法は今のところ見当たらない。
第２に、バンプキーさえ正確に出来てしまえば、その使用方法は至って簡単で、特殊技能や経験を一切必要とせず、子供でも真似して出来てしまうほどの手法であることが挙げられる。従って、バンプキーさえ入手できてしまえば、誰でも簡単にシリンダーを不正開錠できてしまうことになる。
第３に、そのような情報がインターネットで拡がって行く可能性が挙げられる。またバンプキー自体もインターネット通販などで販売され、誰でも入手可能な状況になり得る時代背景であるため、更にこれを複製して拡大して行くことは否定できない。
従って、我々が最も危惧しなくはいけないことは、この手法が犯罪に使われることで、犯罪者がバンプキーを作製し、持ち歩けば、そのバンプキーに対応したシリンダーのマスターキーを持っているのと同じ役目を果たし、そのシリンダーで防犯対策を講じている建物は、常時侵入の脅威に曝されることになる。このバンプキーの存在によって、古典的なピンシリンダー、つまり下ピンと上ピン（多重素子ピン系も含む）から構成される全てのピンシリンダーについて、ピッキング対策としてどれだけピンの数を増やし、ピンの突出角度を工夫し、理論上の鍵違い数を天文学的に増やしたとしても、一瞬で開錠可能となりカギの役目を果たさない状況に追い込まれることになる。つまり、古典的なピンシリンダー時代の終焉を告げる手法の出現と言っても過言でない。
【特許文献１】特開２００６−７７４４２号公報
【発明の開示】
【発明が解決しようとする課題】
【０００３】
バンプキーの原理によれば、下ピンに衝突エネルギーを与えることによって、シャーラインを跨いでいる上ピンを弾き飛ばし、シャーラインをフリーにすることで内筒の回転を可能にする。ここで、ニュートン力学の原理が働くわけであるが、上ピンと下ピンとの中間にいくつかのピンが存在した場合においても、下ピンに伝わった衝突エネルギーは、それに接する中間のピンに順次伝達され、その結果、最末端の上ピンが弾き飛ばされることになる。つまり、下ピン、ミドルピン、上ピンの順に構成されたピン構造の場合、下ピンに伝わった衝突エネルギーは、ミドルピンに伝わり、そのエネルギーが上ピンに伝わって弾き飛ばされることになり、ミドルピン自身は動かないことになる。従って、バンプキーを使用すると、必ずミドルピンと上ピンとの間がフリーな状態となり、ここにシャーラインが存在すれば、ミドルピンと上ピンの間で内筒が回転することになる。
そこで、本発明は、上ピンとミドルピン、下ピンの３つのピンから構成され、上ピンにアンチバンプキー・ピンを使用し、内筒にアンチバンプキー・ピン穴を設け、内筒が回転した瞬間にアンチバンプキー・ピンがアンチバンプキー・ピン穴に落ち込んでトラップされ、内筒がロックされるアンチバンプキー・シリンダーを提供することをその目的とするものである。内筒がロックされた状態をデッドロック（ｄｅａｄｌｏｃｋ）と呼び、この状態になると内筒の回転が完全にロックし、内筒を戻すことも出来ず、完全に固定されて挿入されていたバンプキー自身も抜けなくなるからである。
【課題を解決するための手段】
【０００４】
本発明に係るアンチバンプキー・シリンダーは、シリンダー内筒表面にアンチバンプキー・ピン穴部を設けるとともに、上ピンとして、当該アンチバンプキー・ピン穴部に落ちてトラップされる端部を備えるアンチバンプキー・ピンと、アンチバンプキー・ピン穴部に落ちることなく、アンチバンプキー・ピンの作用を遮蔽するミドルピンを当該アンチバンプキー・ピンと下ピンとの中間に備えたバンプキー対策用シリンダー構造を特徴とするものである。
また、本発明に係るアンチバンプキー・シリンダーは、下ピンとミドルピンとの合計の長さが、バンプキーを挿入した際にシャーライン以下になるように調整されたピン構成を特徴とするものである。
また、本発明に係るアンチバンプキー・シリンダーは、純正キーを使用した際に、下ピンとミドルピンの間にシャーラインが位置するよう構成されたことを特徴とするものである。
また、本発明に係るアンチバンプキー・シリンダーは、バンプキーを使用した際に、ミドルピンとアンチバンプキー・ピンの間にシャーラインが位置するよう構成されたことを特徴とするものである。
また、本発明に係るアンチバンプキー・シリンダーは、シリンダー内筒表面に複数組みのアンチバンプキー・ピン穴部を備え、当該アンチバンプキー・ピン穴部に対応すべくアンチバンプキー・ピンとミドルピンを組合せた上ピン構造を有することを特徴とするものである。
【発明の効果】
【０００５】
本発明は、バンプキーによる開錠の原理を応用したバンプキー対策シリンダーのスタンダードと成り得る機構を提供するものである。特に、本発明は、従来製品と比較して特殊な加工を行ったり、複数のピンを利用して複雑な構造をもたせたりすること無しに、既存の製品に多少、手を加えるだけで完璧なバンプキー対策が出来る。
また、本発明は、バンプキーによって不正開錠を試みられた場合、内筒が完全にロックされるため、使用したバンプキー自身も内筒から抜けなくなり、不正開錠を試みようとした証拠が残る。このように証拠が残ることによって、狙われた事が認識でき、それ以上の犯罪に遭う前に事前に防御策を講じることが可能となる。同時に、時間を掛けても開がない仕組みの存在が、犯罪者にとって最初から狙わないという意識に繋がり、犯罪者が嫌がる心理的な効果も備え持ったシリンダーと成り得る。
【図面の簡単な説明】
【０００６】
【図１】６本ピンで構成される本発明のアンチバンプキー・シリンダーの断面図である。
【図２】図１のアンチバンプキー・シリンダーに使用される純正キー９の側面図である。
【図３】６本ピン用シリンダーのバンプキー１２の側面図である。
【図４】本発明に係るアンチバンプキー・シリンダーにバンプキー１２を挿入した状態の断面図である。
【図５】本発明に係るアンチバンプキー・シリンダーに挿入されたバンプキー１２に衝撃を与えて押し込み、下ピンに衝突エネルギーを伝達した状態を説明するための断面図である。
【図６】下ピン４ａないし４ｆからの衝突エネルギーが最末端の上ピン６ａ、６ｃ、６ｄ、６ｆもしくはアンチバンプキー・ピン２、１６に伝達され弾き飛ばされている様子を説明するための断面図である。
【図７】図１のＡ−Ａ線でカットした正面断面図である。
【図８】図７のピンの部分を中心に拡大して示した部分断面図である。
【図９】図１で純正キー９を反時計回りに回している様子を示すＡ−Ａ線でカットした断面図である。アンチバンプキー・ピン穴２２ａにミドルピン３が落ちずにいる状態を示している。
【図１０】図９の状態から、さらに純正キー９を反時計回りに回している様子を示すＡ−Ａ線でカットした断面図である。
【図１１】図５でバンプキー１２に衝撃を与えて下ピン４ｅに衝突エネルギー２４が伝達している様子を示すＡ−Ａ線でカットした断面図である。
【図１２】図６で下ピン４ｅからの衝突エネルギーがアンチバンプキー・ピン２に伝達して弾き飛ばされている様子を示すＡ−Ａ線でカットした断面図である。
【図１３】図１２でアンチバンプキー・ピン２が弾き飛ばされることによってシャーライン２１がフリーになった瞬間に、内筒を反時計回りに回してアンチバンプキー・ピン２がアンチバンプキー・ピン穴２２ａに落ちてトラップされデッドロックがかかった状態を示す断面図である。
【図１４】ディンプルキーを使用した本発明のアンチバンプキー・シリンダーの内筒２７部分の構造とピンの構成を示した斜視図である。外筒２６部分は図示していない。
【図１５】ディンプルキーを使用した本発明のアンチバンプキー・シリンダーの内筒部分をＢ−Ｂ線でカットした断面図である。対応する外筒２６部分も示している。
【図１６】図１５の内筒とピンの部分を拡大した部分断面図である。
【図１７】純正キー３６を挿入した状態を示す断面図である。
【図１８】純正キー３６を挿入して内筒を反時計回りに回している様子を示す断面図である。アンチバンプキー・ピン３０は、ミドルピン３１によってアンチバンプキー・ピン穴２８ａに落ちることなくスムーズに回転する。
【図１９】図１８の状態から、さらに純正キー３６を反時計回りに回している様子を示す断面図である。
【図２０】バンプキー３７に衝撃を加えてシリンダー内に押し込み、その衝突エネルギー３８が下ピン３２に伝播している様子を示す断面図である。
【図２１】下ピン３２からの衝突エネルギーがミドルピン３１を介してアンチバンプキー・ピン３０に伝播した結果、アンチバンプキー・ピン３０が弾き飛ばされている様子を示す断面図である。
【図２２】図２１の状態で、アンチバンプキー・ピン３０が弾き飛ばされたことによって、シャーライン３３がフリーになり、その瞬間に内筒を反時計回りに回してアンチバンプキー・ピン３０がアンチバンプキー・ピン穴２８ａに落ちてトラップされデッドロックがかかった状態を示す断面図である。
【図２３】二重素子ピンを下ピンに用いた代表的なシリンダー系の全体構造を説明するための分解斜視図である。
【図２４】アンチバンプキー・シリンダーの内筒と上ピンならびにスプリングの部分を拡大した斜視図である。
【図２５】アンチバンプキー・シリンダー内筒に純正キーを挿入した時のミドルピン、上ピン類、スプリングの状態を示す斜視図である。但し、純正キーは図示していない。
【図２６】アンチバンプキー・シリンダー内筒に純正キーを挿入して時計回りに回転させた、ある角度におけるミドルピン、上ピン類、スプリングの状態を示す斜視図である。但し、純正キーは図示していない。
【図２７】アンチバンプキー・シリンダー内筒に純正キーを挿入して時計回りに回転させて錠前のカムと連結する位置まで回した角度におけるミドルピン、上ピン類、スプリングの状態を示す斜視図である。但し、純正キーは図示していない。
【図２８】専用のバンプキーを挿入して衝突エネルギーを与えた瞬間の各ピン類の状態を示す斜視図である。但し、バンプキーは図示していない。
【図２９】専用のバンプキーで衝突エネルギーを与えた直後、内筒を時計回りに回してアンチバンプキー・ピンがアンチバンプキー・ピン穴にトラップされデッドロックが作用した瞬間を示す斜視図である。但し、バンプキーは図示していない。
【図３０】専用のバンプキーで衝突エネルギーを与えた直後、内筒を時計回りに回してアンチバンプキー・ピンがアンチバンプキー・ピン穴にトラップされデッドロックが作用した瞬間を示す正面断面図。但し、バンプキーは図示していない。
【符号の説明】
【０００７】
１    本発明に係るアンチバンプキー・シリンダー
２    アンチバンプキー・ピン
３    ミドルピン
４ａ  下ピン
４ｂ  下ピン
４ｃ  下ピン
４ｆ  下ピン
５    ピンシリンダー用内筒
６    ピンシリンダー用内筒
６ａ  上ピン
６ｃ  上ピン
６ｄ  上ピン
６ｆ  上ピン
７    スプリング
８    ピンシリンダー用外筒
９    ピンシリンダー用純正キー
１０  鍵山
１１  ショルダー
１１’  ショルダー
１２  ピンシリンダー用バンプキー
１３  バンプキー用鍵山
１４  ショルダー部分の隙間
１５  バンプキーのヘッド部分
１６  アンチバンプキー・ピン
１７  ミドルピン
１８  バンプキーに加える衝撃力
１９  バンプキーから下ピンに伝播された衝突エネルギー
２０  下ピンから末端ピンに伝播された衝突エネルギー
２１  シャーライン（内筒と外筒の境界面）
２２ａ  アンチバンプキー・ピン穴
２２ｂ  アンチバンプキー・ピン穴
２３ａ  アンチバンプキー・ピン溝
２３ｂ  アンチバンプキー・ピン溝
２４  下ピンに伝播された衝突エネルギー
２５  アンチバンプキー・ピンに伝播された衝突エネルギー
２６  ディンプルシリンダー用外筒
２７  ディンプルシリンダー用内筒
２８ａ  アンチバンプキー・ピン穴
２８ｂ  アンチバンプキー・ピン穴
２９  スプリング
３０  アンチバンプキー・ピン
３１  ミドルピン
３２  下ピン
３３  シャーライン
３４  鍵穴
３５ａ  アンチバンプキー・ピン溝
３５ｂ  アンチバンプキー・ピン溝
３６  純正キー（ディンプル型）
３７  バンプキー（ディンプル型）
３８  下ピンに伝播された衝突エネルギー
３９  アンチバンプキー・ピンに伝播された衝突エネルギー
４０  アッパーピンγ１
４１  アッパーピンγ２
４２  アンチバンプキー・ピン
４３  ミドルピン
４４  スクリュー
４５  テールプレート
４６  外筒
４７  ストッピングボール・スプリング
４８  ストッピングボール
４９  サイド・マスターピン
５０  アンダー・マスターピン
５１  鍵穴
５２  内筒
５３ａ  アンチバンプキー・ピン穴
５３ｂ  アンチバンプキー・ピン穴
５４  二重素子ピン穴
５５  エクスターナル・ロワーピン
５６  インターナル・ロワーピン
５７  上ピン穴
５８  上ピンスプリング
５９  スプリングカバー
６０  溝
６１  衝突エネルギー
【発明を実施するための最良の形態】
【０００８】
従来の上ピンと下ピンの２種類のピンを用いたシリンダー錠においては、純正キーを挿入する前の段階で上ピンがシャーラインを跨ぎ、内筒の回転を阻止しているが、純正キーを挿入すると、その純正キーにカットされた溝（鍵山）に下ピンが位置することによって、上ピンとの間にシャーラインと一致する境界面が形成され、その位置で内筒の回転がフリーになって内筒がまわるような構造となっている。
本発明のアンチバンプキー・シリンダーにおいては、もう１つのピン、すなわちミドルピンが存在することによって、ミドルピンの両側（上下）に２種類の境界面が存在する。１つは、下ピンとミドルピンの間、もうひとつはミドルピンと上ピンとして用いるアンチバンプキー・ピンの間の２種類である。
前者は、純正キーを挿入した時にできる境界面で、通常、正しい使い方をしている限り下ピンとミドルピンとの間で境界面ができ、ミドルピンが外筒側に残って回転する。本発明のアンチバンプキー・シリンダーの内筒には、ピンの穴を対象軸として、その両脇（内筒の回転方向）にアンチバンプキー・ピン穴と、この穴に導くための溝が存在しているが、ミドルピンがアンチバンプキー・ピン穴を塞ぐ形で回転するため、アンチバンプキー・ピンがトラップされない状態になる。
一方、後者は、バンプキーの衝突エネルギーによって出来る境界面で、内筒側にミドルピンが入り、外筒側にアンチバンプキー・ピンが残って、この境界面で内筒が回転すると、アンチバンプキー・ピンがアンチバンプキー・ピン穴に落込んでトラップされ、この位置でロックされてしまう。この状態はデッドロックと呼ばれる状態であるため、一度、この状態になると回転を戻すことも進めることも出来なくなり、シリンダーとしては機能しなくなり、その結果、不正開錠を完全に防止することとなる。
本発明のアンチバンプキー・シリンダーにおいては、本機構を全てのピン穴に適用しなくても良く、複数存在するピン穴に対して、少なくとも１個以上のピン穴にアンチバンプキー・ピン機構を有していれば良い。従って、アンチバンプキー・ピン穴の存在しないピン穴に対しては、相当するミドルピンは必要なく、通常の上ピンと下ピンだけのセットでも良い。
さて、ここで注目すべきは、バンプキーの原理を用いると、ニュートン力学に従って、衝突エネルギーを受ける下ピンに接したピンに、順次そのエネルギーが伝達され、その結果、必ず最末端に位置するアンチバンプキー・ピンだけが弾き飛ばされるということである。アンチバンプキー・ピンが弾き飛ばされ、ミドルピンとの間に境界面ができてシャーラインがフリーになれば、ミドルピンが内筒側に残った状態で回転が起り、アンチバンプキー・ピンが確実にアンチバンプキー・ピン穴にトラップされてデッドロックがかかる仕組みとなる。正に、バンプキーの原理を逆手に応用した発明と言える。
本発明によって、比較的簡単な構造をシリンダーに持たせることで、ピンシリンダーの最も致命的な弱点を補うことができ、バンプキーの脅威から逃れるための最も効果的な方法が見出された。さらに本発明のアンチバンプキー・シリンダーは、これまで不正開錠に対して、５分以上耐えるとか１０分以上耐えるとか云った時間による耐久性能とは異なった次元で、本シリンダーを評価しなければならない。すなわち、本発明のアンチバンプキー・シリンダーは、バンプキーやピッキング等の不正開錠によって、デッドロックがかかると、二度とこのシリンダーを攻略することができなくなり、時間での耐久性評価など無意味となる、完全な防止機能を備えた防犯シリンダーと言える。
更に、本発明のアンチバンプキー・シリンダーの優れた効果は、バンプキーやピッキング等の不正開錠でシリンダーを攻略しようと試みた場合、うまく内筒を回せたとしてもデッドロックで終わってしまい、その結果としてバンプキーが挿入されたまま、あるいはピッキングであれば何も鍵穴に無い状況で内筒が斜めに傾いた状態が維持される。こうして侵入を防ぐことは言うまでもないが、そのシリンダー（玄関）を狙ったことが証拠として残されるため、更なる犯罪から建物や身を守るための防犯対策を講じる必要があることのサインを提示することになる。これまで無傷開錠は目に見えない手口として恐ろしい手口であったが、本発明のデッドロック機構により、目に見える形で防御できることが最大の特徴であり、最も効果的な対策となる。
また、本発明は、あらゆるピンシリンダーに適用可能であり、日本国内のピンシリンダーはもとより、海外で多く使用されているプロファイルシリンダーなど、ピンを用いるシリンダー全てに適応可能である上、他のロック機構と組み合わせてハイブリットなシリンダーを構築することも可能になるため、今後、バンプキー対策のための基本構造として有効な手段に成り得る。
【実施例１】
【０００９】
以下、本発明のアンチバンプキー・シリンダーについて、実施例に基づき説明する。以下の例では、最も基本的なピンシリンダーについて説明する。
本発明に係るアンチバンプキー・シリンダーの一態様を図とともに説明する。図１は６本のピンを内装したピンシリンダーの構造を示す断面図、図２は６本ピンのシリンダーの純正キー、図３は６本ピンのシリンダー用のバンプキー、図４は図３のバンプキーをシリンダーに挿入した状態の断面図、図５ないし図６は、バンプキーを内筒内に叩き込んで下ピンに衝突エネルギーを与えた瞬間の説明図、図７ないし図８は、図１のＡ−Ａ’線断面図、図９ないし図１０は、純正キーで内筒を回転させた場合の説明図。図１１ないし図１３はバンプキーで不正開錠した際の説明図である。図において、本発明のアンチバンプキー・シリンダーに純正キーを挿入した場合、図１に示すごとく、キーの段差に対応して下ピンが揃い、下ピンの上部がシャーライン２１と一致する。これを正面から断面図で示したものが図７である。ここで、アンチバンプキー・ピン穴が存在しないピン穴の位置に関する正面断面図は省略しているが、アンチバンプキー・ピン穴が存在しないピン穴では、通常のシリンダーと同様に下ピン４ａと上ピン６だけの組み合わせでピンが構成され、純正キーによる境界面も、下ピン４ａと上ピン６との間に形成され、これがシャーライン２１と一致する。純正キー９を本発明のアンチバンプキー・シリンダー１に挿入した場合、ピンの両サイドにアンチバンプキー・ピン穴２２ａ、２２ｂの存在する位置での動きについて図７と共に解説する。この位置には、下ピン４ｅとミドルピン３、アンチバンプキー・ピン２が存在している。純正キー９を挿入すると、図２に示す純正キー９の段差１０に従って、下ピンが上下しながら純正キーのショルダー部分１１がシリンダー入口に当って止まる。つまり、このシリンダーはショルダーからの位置でピンの間隔（ピッチ）が決まっているシリンダーである。純正キー９が完全に奥まで挿入された場合、シリンダー入口から２番面の位置にあるピンの状態は図７に示すごとく、下ピン４ｅが純正キー９の段差によって持ち上げられ、内筒と外筒との境界面、すなわちシャーライン２１の位置にミドルピン２との境界面ができる。この状態で、シャーライン２１がフリーになるため、純正キー９を回すことによって内筒が回転可能になる。ここで、ミドルピン３の直径は、アンチバンプキー・ピン穴２２ａ、２２ｂや図８に示すアンチバンプキー・ピン溝２３ａ、２３ｂよりも大きいため、これらにトラップされることなく回転することが出来、その結果、図９に示すごとく、アンチバンプキー・ピン穴２２ａ、２２ｂの真上に来ても、当該穴にトラップされずに通過して、図１０に示すごとく、錠前のカムと連結できる位置まで回転が可能となる。ここでは、便宜的に９０度回転した位置をカムとの連結位置としているが、特に限定されるものではない。
さて、次に図３に示すバンプキー１２を使用した場合の事象について言及する。バンプキー１２は、シリンダーに使用されている最も長い下ピンの上部、すなわち下ピンと上ピンとの境界面がシャーラインと一致するように全てが段差１３の位置で適当な形状にカットされている。このバンプキー１２を当該アンチバンプキー・シリンダー１に挿入した場合、図４に示すごとく、各々のピン穴において上ピン６もしくはアンチバンプキー・ピン２がシャーラインの位置に存在し、内筒と外筒を跨いでいるため、内筒の回転を阻止している。
ここで、下ピン４ｃは、当該シリンダーに用いている最も長い下ピンであり、バンプキー１２は、この長さに合うようにカットされているため、当然のことながら、下ピン４ｃが存在する位置では、バンプキー１２の段差がそのまま上ピン６ｃとの境界面となる。この点が、バンプキーが効率的な開錠手法である１つの理由にもなっている。すなわち、対象とするシリンダーの中に、最も長い下ピンが１本以上存在するような場合、バンプキーを挿入するだけで、すでにシャーラインがフリーになるわけで、残りの数本、図４の場合にあっては、残りの５本のピンについてシャーラインをフリーにするように衝突エネルギーを与えれば良く、５ピンのシリンダーを開錠することと同じことになる。仮に、当該発明のアンチバンプキー・シリンダーではないシリンダーにおいて、最も長い下ピンを２本使用した６ピンシリンダーにおいては、４ピンシリンダーと同等の性能しか持たないことになる。
図４のように当該アンチバンプキー・シリンダー１にバンプキー１２を挿入した場合、バンプキー１２のショルダー１１‘部分は、純正キー９のショルダー部分１１に比べ、適当な長さを切除しているため、若干の隙間１４が出来る。この状態において、バンプキーのヘッド部分１５をハンマー等の適当な工具で叩いて矢印で示した衝突エネルギー１８を与えると、図５に示すごとく隙間１４のストローク分、バンプキー１２が内筒内に勢いよく入り込み、その結果、段差１３のカットの壁面に各々の下ピン４ａないし４ｆが衝突して、矢印で示した衝突エネルギー１９が各下ピンに伝わる。
さて、この瞬間を図１１に示すアンチバンプキー・ピン穴２２ａ、２２ｂの位置で説明する。バンプキー１２が挿入された状態では、アンチバンプキー・ピンがシャーライン２１を跨ぐように存在して内筒の回転を邪魔している。バンプキー１２に衝突エネルギーが加えられた瞬間、矢印で示した衝突エネルギー２４が下ピン４ｅに伝わる。
次ぎの瞬間、図６に示すごとく下ピンからの衝突エネルギー１９は、下ピンと接する各々のピンに伝わる。ここで、下ピンと接するピンが上ピンしか存在しないような位置の上ピン６ａ、６ｃ、６ｄ、６ｆにおいては、下ピンからの衝突エネルギーが直接伝達され、矢印で示した衝突エネルギー２０が生じる。他方、下ピンと接するミドルピンが存在する場合、下ピン４ｅからの衝突エネルギー１９は、ミドルピン３を介して上ピン２に伝達され、ミドルピン自身には殆ど動きがない。この様子を示したのが図１２である。
この瞬間において、各ピン穴に存在する上ピンは、それまで跨いでいたシャーラインから弾き飛ばされ、一瞬、シャーラインがフリーな状態になる。この状態では、ミドルピン３が内筒側に残り、ミドルピン３とアンチバンプキー・ピン２との間に必ず境界面が生じることになる。この時、内筒に回転応力（テンション）を掛けておくと、内筒が回転応力を掛けた方向に回り始める。その様子を示したのが図１３である。内筒がどちらに回転するにしても、ピン穴の両側にアンチバンプキー・ピン穴２２ａないし２２ｂが存在するため、アンチバンプキー・ピン２は、回転する側と反対側のアンチバンプキー・ピン穴（図の場合は２２ａ）にトラップされることになる。一旦、アンチバンプキー・ピン穴にトラップされたアンチバンプキー・ピン２は、内筒内からは接触することができず、また、内筒に更なる回転応力を加えても元には戻らない状態になる。この状態をデッドロックと呼び、こうなると挿入したバンプキーは抜けなくなると同時に、シリンダーの機能を完全に無くしてしまうことになる。その結果、バンプキーによる不正開錠を試みたという形跡が残ると共に、最も重要な役目である不正開錠を完全に防ぐことができる。
因に、このデッドロック状態のシリンダーは、シリンダーを錠前から外さない限り元に戻すことはできないので、外部からは破壊する他、方法がなくなる。シリンダーを錠前から外す手段は、何らかの方法で室内側から扉を開けることが必要となるため、実際にはデッドロック状態を解除することは不可能なことになる。
この方法によれば、ピンの本数、下ピンや上ピンの形状、下ピンとキーとの接触角度、ピンの材質などに係わらず、上ピンと下ピンから構成される全てのピンシリンダーに適応可能なバンプキー対策を提供できる。
【実施例２】
【００１０】
以下、本発明のアンチバンプキー・シリンダーをディンプルキーと総称されるピンシリンダーに適用した一態様を図とともに説明する。
ここでは、本発明のアンチバンプキー・シリンダーの作用について、ディンプルキーを使用するシリンダーに適用した例を説明するため、できるだけ単純な系を用いている。ここで例に挙げたシリンダーは、４ピンのシリンダーで、全てにアンチバンプキー・ピンを使用し、内筒にもアンチバンプキー・ピン穴が存在する。既に述べていることであるが、４ピンのうち、少なくとも１ピンに本発明の機構を設ければ、アンチバンプキー・シリンダーとしての役目を果たすことは言うまでもない。以降、便宜的に鍵穴に最も近いピンの作用についてのみ解説するが、他の３ピンについても同様の効果が得られる。
図１４はキーカット（鍵山）に相当する穴（溝）をキーに彫込んだ、いわゆるディンプルキーと総称されるキーを本発明のアンチバンプキー・シリンダーに用いた内筒部分を説明するための斜視図である。勿論、外筒側にも、これらのピンを収めるための構造が存在するが割愛している。図１５は、Ｂ−Ｂ断面図、図１６ないし図１９は図１５の内筒とピンの部分を説明するために拡大した断面図、図２０ないし図２２はバンプキーを用いた場合の作用について説明した断面図である。
図１４に示すように、内筒にはアンチバンプキー・ピン穴２８ａ、２８ｂと、これにアンチバンプキー・ピン３０を導くための溝３５ａ、３５ｂが装備されている。ピンの構成は、内筒側から順に下ピン３２、ミドルピン３１、アンチバンプキー・ピン３０となっている。このような構成のシリンダーを外筒（図示していない）を含むＢ−Ｂ断面で見たものが図１５に相当する。図１５は、キーを挿入していない状態の各ピンの位置を示した全体の断面図であり、その作用を説明するために内筒と各ピンの部分を拡大して示したものが図１６である。図１６に示す通り、キーを挿入しない状態では、アンチバンプキー・ピンがシャーライン３３を跨いで存在し、これによって内筒の回転を止めている。この状態に、純正キー３６を挿入した場合、図１７に示すごとく下ピン３２が純正キー３６の段差によって持ち上げられ、内筒と外筒との境界面、すなわちシャーライン３３の位置にミドルピン３１との境界面ができる。ここで例に挙げたシリンダーは、最も単純なシリンダーを使用しており、キーの段差は３段階に設定している。図１７に示した下ピン３２の長さは、一番短いピン（１）を使用しており、純正キー３６の段差も（１）でカットしている。ここで、（）内の数字は、図面上の符号ではなく、ピンの長さを便宜的に表した数字で、（１）〜（３）までの３段差が存在することを前提としている。
この状態で、シャーライン３３がフリーになるため、純正キー３６を回すことによって内筒が回転可能になる。ここで、ミドルピン３１の直径は、アンチバンプキー・ピン穴２８ａ、２８ｂや溝３５ａ、３５ｂよりも大きいため、これらにトラップされることなく回転することが出来、その結果、図１８に示すごとく、アンチバンプキー・ピン穴２８ａ、２８ｂの真上に来ても、当該穴にトラップされずに通過して、図１９に示すごとく、錠前のカムと連結できる位置まで回転が可能となる。ここでは、便宜的に９０度回転した位置をカムとの連結位置としているが、特に限定されるものではない。
さて、次に図２０に示すバンプキー３７を使用した場合の事象について言及する。バンプキー３７は、シリンダーに使用されている最も長い下ピン（３）の上部、すなわち下ピンと上ピンとの境界面がシャーラインと一致するように全てが段差（３）の位置で適当な形状にカットされている。このバンプキー３７を当該アンチバンプキー・シリンダーに挿入した場合、図２０に示すごとく、ミドルピン３１とアンチバンプキー・ピン３０の境界面がシャーラインの位置に一致し、既にシャーラインがフリーな状態となっている。
ここでは、実施例１と異なる事例として、下ピンとミドルピンの合計の長さが、バンプキーを挿入した際のシャーライン以下になるという条件の中で最長の長さ、すなわち、シャーラインと一致する長さの例を挙げている。通常は、バンプキーを挿入した際に、シャーラインの位置にアンチバンプキー・ピンが跨ぐように存在することが好ましく、下ピンとミドルピンの合計の長さは、シャーラインよりも短いもの、言い換えれば、バンプキーを挿入した際に下ピンとミドルピンが内筒側に納まるものであれば条件を満たすわけである。本実施例のように、シャーラインと一致する場合には、バンプキーを挿入して回転応力を掛けてしまうと、その操作だけで内筒が回転して図２２に示すごとくアンチバンプキー・ピン３０がアンチバンプキー・ピン穴２８ａにトラップされるという効果がある。本実施例では、最も短い下ピン（１）とミドルピンの長さを合計したものが、最も長い下ピン（３）と一致することで、バンプキーを挿入しただけでシャーラインがミドルピン３１とアンチバンプキー・ピン３０の境界面にできるようにしている。
繰り返し述べるが、実施例１では、バンプキーというものが、当該シリンダーに用いている最も長い下ピンの長さに合わせてカットされているため、バンプキーを挿入しただけで最も長い下ピンを装備している場合には、上ピンとの境界面がシャーラインに一致するため効率的な開錠手法であることに言及した。本実施例では、その条件を逆手にとって、バンプキーを挿入しただけで、ミドルピンとアンチバンプキー・ピンの境界面がシャーラインと一致するようにして、そのまま内筒を回転させただけで強制的にデッドロックがかかるようにしている。
さて、前述の通り、バンプキーを挿入した段階で既に内筒が回転できる状態ではあるが、他の列に存在する残りの３ピンが、シャーラインをフリーな状態にしていない場合がある。そこで、図２０の状態においてもバンプキー３７によってどのような現象が起きるかシミュレーションすると次のようになる。まず、バンプキー３７に衝突エネルギーを与えると、矢印で示した衝突エネルギー３８がミドルピン３１を介して図２１に示すごとく、アンチバンプキー・ピン３０に伝達され、その結果、矢印で示した衝突エネルギー３９によってアンチバンプキー・ピン３０が弾き飛ばされる。この状態において、他の列に存在するアンチバンプキー・ピン（図示していない）も、同様に弾き飛ばされる結果、シャーラインの位置がフリーになり、内筒に回転応力（テンション）を掛けておくと、内筒が回転応力を掛けた方向に回り始める。その様子を示したのが図２２である。内筒がどちらに回転するにしても、ピン穴の両側にアンチバンプキー・ピン穴２８ａないし２８ｂが存在するため、アンチバンプキー・ピン３０は、回転する側と反対側のアンチバンプキー・ピン穴（図の場合は２８ａ）にトラップされることになる。一旦、アンチバンプキー・ピン穴にトラップされたアンチバンプキー・ピン３０は、内筒内からは接触することができず、また、内筒に更なる回転応力を加えても元には戻らない状態、つまりデッドロックに陥る。こうなると挿入したバンプキーは抜けなくなると同時に、シリンダーの機能を完全に無くしてしまうことになる。その結果、バンプキーによる不正開錠を試みたという形跡が残ると共に、最も重要な役目である不正開錠を完全に防ぐことができる。この方法によれば、ピンの本数、下ピンや上ピンの形状、下ピンとキーとの接触角度、ピンの材質などに係わらず、上ピンと下ピンから構成される全てのピンシリンダーに適応可能なバンプキー対策を提供できる。
【実施例３】
【００１１】
以下、本発明のアンチバンプキー・シリンダーを二重素子ピン系のピンシリンダーに適用した一態様を図とともに説明する。
ここでは、本発明のアンチバンプキー・シリンダーの作用について、二重素子ピンを使用するシリンダーに適用した例を説明するため、できるだけ単純な系を用いている。ここで例に挙げた二重素子ピンシリンダーは、５組の二重素子ピンのシリンダーで、そのうち、２組にアンチバンプキー・ピンを使用し、内筒にもアンチバンプキー・ピン穴が存在している。勿論、５組全てに本発明のアンチバンプキー機構を持たせても良いが、５組のうち、少なくとも１組にこの機構を設ければ、アンチバンプキー・シリンダーとしての役目を果たすことは言うまでもない。以降、便宜的に鍵穴５１の手前から４番目のピンの作用に着目して解説する。
図２３は二重素子ピンを下ピンに用いたシリンダー系に本発明のアンチバンプキー機構を設けたアンチバンプキー・シリンダーの全体構造を説明するための分解斜視図である。図２４は、当該アンチバンプキー・シリンダーに特徴的な機構を説明するために内筒部分を拡大した斜視図である。内筒表面のアンチバンプキー・ピンの作用を分かりやすく説明するために外筒部分は図示していない。図２５ないし図２７は、図２４のシリンダー（キーを挿入していない状態）に純正キーを挿入して内筒を回転させた状況を説明するための斜視図であるが、便宜的に純正キーは図示していない。また、図２８ないし図２９はバンプキーを用いた場合の作用について説明した斜視図であるが、ここでも便宜的にバンプキーは図示していない。図３０は、図２９のＣ−Ｃ部分でカットした断面図である。
図２３に示すように、二重素子ピンを用いたアンチバンプキー・シリンダーは、下ピンとしてエクスターナル・ロワーピン５５とインターナル・ロワーピン５６の組み合せで内筒５２内に収納される。その内筒表面には、二重素子ピン穴５４の両側（内筒の回転方向側）にアンチバンプキー・ピン穴５３ａ、５３ｂ（図示されていない）が成形されている。一方、外筒４６側には、スプリング５８と共に、上ピンとして二重素子ピン専用の非対象型分割上ピンと呼ばれるアッパーピンγ１（インターナル・ロワーピン５６に対応した分割式上ピン）４０とアッパーピンγ２（エクスターナル・ロワーピン５５に対応した分割式上ピン）４１がアンチバンプキー・ピン穴を持たないピン穴に位置する二重素子ピンの上ピンとして使用され、アンチバンプキー・ピン穴を持つピン穴に位置する二重素子ピンの上ピンには、アンチバンプキー・ピン４２とミドルピン４３が使用されている。
ここでは、アンチバンプキー・ピン４２と非対象型分割上ピン（４０と４１の対）を区別して使用しているが、アンチバンプキー・ピン４２の使用は絶対条件ではなく、通常の二重素子ピンに使用される非対象型分割上ピンや二重素子ピンに対応した他の上ピンでもデッドロックがかかる構造であれば代替することが可能である。但し、ミドルピンの使用は絶対条件であるため、その段階で下ピンの二重素子ピンはシングルピンとしての作用しかなく、上ピンとしては専用のアンチバンプキー・ピン４２を使用した方が好ましい。その他のパーツについては、本発明のアンチバンプキー機構とは直接関連しないため、説明を割愛する。
本発明に係わる二重素子ピンを用いたアンチバンプキー・シリンダーは、このような構造になっているため、キーを挿入しない状態では、図２４に示すごとく二重素子ピンの長さに対応して、相対する非対象型分割上ピン（アッパーピンγ１とアッパーピンγ２の１対）もしくはアンチバンプキー・ピン４２が、シャーライン（内筒と外筒の境界面であるため図示できないが、図中では内筒５２の表面がシャーラインに相当する）を跨いで存在し、これによって内筒の回転を止めている。ここで、アンチバンプキー・ピン４２と組み合わせて使用されるミドルピン４３は、内筒５２内に納まって存在している。
この状態に、純正キーを挿入した場合、図２５に示すごとく二重素子ピン対（エクスターナル・ロワーピン５５ハインターナル・ロワーピン５６の１対）が純正キーの段差によって持ち上げられ、内筒と外筒との境界面、すなわちシャーラインの位置に二重素子ピン対の最上部の境界面が一致する。すなわち、アンチバンプキー・ピン穴を持つピン穴の位置では、ミドルピン４３と二重素子ピン対との境界面、アンチバンプキー・ピン穴を持たないピン穴の位置では非対象型分割上ピンと二重素子ピン対との境界面がシャーラインに一致する。これでシャーラインがフリーになり、内筒が回転自在になり開錠方向に純正キーを回すことができる。
図２６は、純正キーで内筒を回して、アンチバンプキー・ピン穴５３ｂ（ミドルピン４３に隠されて表示されていない）の真上の位置まで内筒を回した状態を示している。ここで、ミドルピン４３の直径は、アンチバンプキー・ピン穴５３ａ、５３ｂや溝６０ａ、６０ｂよりも大きいため、これらにトラップされることなく通過して、図２７に示すごとく、錠前のカムと連結できる位置まで回転が可能となる。ここでは、便宜的に９０度回転した位置をカムとの連結位置としているが、特に限定されるものではない。
さて、次に専用のバンプキーを使用した場合の事象について説明する。バンプキーは、シリンダーに使用されている最も長い二重素子ピン対（Ｄ５）の上部の境界面がシャーラインと一致するように全てが段差（Ｄ５）の位置で適当な形状にカットされているものである。図２８は、当該アンチバンプキー・シリンダーに専用のバンプキーを挿入して衝撃を与えた瞬間の各ピンの様子を示している。バンプキーをシリンダーに挿入した場合、図２８に示すごとく、各二重素子ピン対とミドルピン４３はシャーラインよりも内筒側に存在している。これが、本発明のアンチバンプキー・シリンダーの基本条件となることは既に言及している。
バンプキーから伝播された衝突エネルギーは、アンチバンプキー・ピン穴５３ａ、５３ｂが存在しないピン穴においては、二重素子ピン対を介して直接、相対する非対象型分割上ピン（アッパーピンγ１とアッパーピンγ２の１対）に矢印で示した衝突エネルギー６１が伝播され、アンチバンプキー・ピン穴５３ａ、５３ｂが存在するピン穴においては、二重素子ピン対からミドルピン４３を介してアンチバンプキー・ピン４２に矢印で示した衝突エネルギー６１が伝播され、その結果、各々の非対象型分割上ピン（４０と４１の対）ならびにアンチバンプキー・ピン４２が上に弾き飛ばされる。図２８に示したように、この瞬間は外筒側で弾き飛ばされたピンが宙に浮いた状態になり、シャーラインがフリーの状態になる。
ここで内筒に回転応力（テンション）を掛けておくと、内筒が回転応力を掛けた方向に回り始める。その様子を示したのが図２９である。内筒がどちらに回転するにしても、ピン穴の両側にアンチバンプキー・ピン穴５３ａないし５３ｂが存在するため、アンチバンプキー・ピン４２は、回転する側と反対側のアンチバンプキー・ピン穴（図の場合は５３ｂ）にトラップされることになる。一旦、アンチバンプキー・ピン穴にトラップされたアンチバンプキー・ピン４２は、内筒内からは接触することができず、また、内筒に更なる回転応力を加えても元には戻らない状態、つまりデッドロックに陥る。この状況をわかりやすく示したのが図３０である。図３０にもバンプキーの存在は表示していないが、内筒が斜になってロックされる。
こうなると挿入したバンプキーは抜けなくなると同時に、シリンダーの機能を完全に無くしてしまうことになる。その結果、バンプキーによる不正開錠を試みたという形跡が残ると共に、最も重要な役目である不正開錠を完全に防ぐことができる。ここでは、多重素子ピンの一例として、二重素子ピン系を挙げたが、特に限定されるものではなく、三重素子ピン以上でも適用可能である。
この方法によれば、他のロック機構を装備したピンシリンダーとのハイブリットのシリンダーとしても適応可能なバンプキー対策を提供できる。
尚、アンチバンプキー・ピン穴は、アンチバンプキー・ピンが落ち込んでトラップ出来るような径の穴であって、穴形状もトラップし易い形状であれば、実施例に示した形状に限らず自由に形成し適用できる。穴の大きさは、内筒の形状や大きさ、アンチバンプキー・ピンの大きさによっても異なり、アンチバンプキー・ピン対応したものであれば自由に形成し適用できる。アンチバンプキー・ピンの形状や大きさも特に限定されるものではなく、これと対応した下ピンやミドルピンに関連して適当な大きさを選択できる。例えば、アンチバンプキー・ピンの形状を、バネに接する側よりもアンチバンプキー・ピン穴にトラップされる側の径を小さくすることにより、アンチバンプキー・ピン穴にトラップされ易くなる上、内筒に回転応力、すなわちテンションを掛けた時に、大きく傾くことになり、繰返し下ピンに衝突エネルギーを与えた場合に、ミドルピンが弾き飛ばされ外筒側に入ることを抑える効果がある。バンプキーの操作で、ミドルピンが外筒側に入ってしまうと、デッドロックがかからず内筒が回転してしまうことになる。
ミドルピンは、アンチバンプキー・ピン穴にトラップされないような大きさであれば良く、形状や長さ（厚み）も限定されないが、通常は円盤状で、ある程度厚みのあるピンが望ましい。下ピンに関しても、カギ違いをとるための段差を適当に設ければ特に形状や長さには限定されるものは無い。但し、ここでポイントとなることは、純正キーによってシャーラインにできるピンの境界面は、必ず下ピンとミドルピンの間になることと、ミドルピンと下ピンの組み合わせた合計の長さが、バンプキーを挿入した際に、シャーラインに達していないことが条件となる。つまり、バンプキーを挿入した際に、シャーラインをアンチバンプキー・ピンが跨いでいる状態でないと、バンプキーに対して効果が発揮されない。バンプキーを挿入した際に、ミドルピンがシャーラインを跨いでいる場合には、繰返しの衝突エネルギーによって内筒が回転してしまう場合、必ずミドルピンと下ピンとの間で回転が起るため、アンチバンプキー・ピンがアンチバンプキー・ピン穴にトラップされずに回転が可能となってしまうためである。また、各々の材質に関しても限定されるものではないが、通常、シリンダーに使用されている金属であって、錆に強く耐久性のある真鍮やステンレスなどの金属製のものが好ましい。
内筒に設けるアンチバンプキー・ピン穴は、内筒に設ける事が可能な限り、複数設定することも可能である。原理的には、１つのアンチバンプキー・ピン穴とそれに対応した構成ピンでもアンチバンプキー対策は達成可能となる。しかし、さらに完全なものにするためには、複数のアンチバンプキー・ピン穴とピンの組み合せを用いることが好ましいが、その数や位置は自由に設定でき限定されるものではない。また、アンチバンプキー・ピン穴と、通常のピン穴との間は、適当な深さの溝を設けることが出来る。この溝によってアンチバンプキー・ピンがアンチバンプキー・ピン穴にトラップされ易いように導くようにすることが望ましい。この溝の深さや幅に関しては、特に限定されるものではないが、ミドルピンの径よりも小さく、アンチバンプキー・ピンをアンチバンプキー・ピン穴にスムーズに導ける構造であれば良い。溝は必ずしも必要というものではないが、この溝が存在することによって、アンチバンプキー・ピンが溝にトラップされる直前で内筒の回転を止めておいて、ショットドライバーのような工具で高速回転力をかけてアンチバンプキー・ピンがアンチバンプキー・ピン穴に落ちる前に内筒を回そうとする手法を完全に防ぐ事が可能となる。
さらに本発明のアンチバンプキー機構は、単純なピンシリンダー以外にも組み合せて使用することができ、その適用範囲は構造としてアンチバンプキー・ピン穴とアンチバンプキー・ピン等の使用が可能なものであれば特に限定されるものではない。例えば、二重素子ピンのシリンダー系に応用して用いたり、マグネチックピンを用いたシリンダー系と組み合せて使用したり、さらにはＩＣチップで認識するような電気系のシリンダーと組み合せてハイブリットなシリンダーにすることも出来る。
上記のピン構成と、内筒の構造を構成すれば、バンプキーに対して完全なる効果が発揮され、同時に、これまでのピックガン等による不正開錠やピッキングに関しても効果がある。
【産業上の利用可能性】
【００１２】
以上の説明から明らかなように、本発明に係るアンチバンプキー・シリンダーは、バンプキーを用いた開錠方法の原理を応用した対策法であり、完全なる対策法を提供できる。つまり本発明のアンチバンプキー・シリンダーにバンプキーを用いて下ピンに衝撃エネルギーを与えると、必ずアンチバンプキー・ピンが弾き飛ばされ、アンチバンプキー・ピンとミドルピンの間でシャーラインがフリーになり、その結果、内筒が回ってしまうと当該アンチバンプキー・ピンがアンチバンプキー・ピン穴に落込んでトラップされ、内筒がデッドロックして開錠を防ぐことができる。複数のピンを用いたピンシリンダー系や他のロック機構との組み合せにおいても、適用可能であり、そのうち１ピンでもアンチバンプキー・ピンを用いて、それをトラップする本発明の構造にしていれば、この効果は得られ完全なるバンプキー対策効果が発揮される。本発明の原理を用いれば、バンプキー対策として複雑なピン構造を用いたり、新たな製造ラインを新設したりする手間や設備投資がかからず、比較的簡単に現行のピンシリンダーの弱点を改良でき、しかも完全なる対策品としてリニューアルすることができる。
また、本発明の原理は、バンプキー以外にもピックガンや電動ピックガンのようなバンプキーと同様の原理で開錠する工具に対しても全く同じ効果が得られる。さらには、ピッキング行為に対しても、本発明のアンチバンプキー・シリンダーは効果を発揮する。すなわち、本発明のアンチバンプキー・シリンダーには、バンプキー対策として１つのピン穴に対して、下ピン、ミドルピン、アンチバンプキー・ピンの３種類のピンを用いている。従って、それぞれのピンが接する境界面がシャーラインと一致した場合に内筒がフリーになることから、異なる２つの位置で内筒がフリーになる。ここで、下ピンとミドルピンの間がフリーになる場合は、シリンダーが正常に機能する、いわゆる純正キーで操作する場合であり、ミドルピンとアンチバンプキー・ピンの間がフリーになる場合は、デッドロックがかかる、いわゆるピッキングなどの不正行為による開錠操作の場合である。どちらの位置で内筒がフリーになったか、熟練した技術者であってもピッキング行為の感触でその位置を感じ分けることは困難であり、ピッキング行為による不正開錠に対しても完全なる効果が得られる。
バンプキーに対しても、ピッキング行為に対しても一旦、デッドロックが作用すると、二度と内筒を元に戻すことができなくなり、時間をかけても開錠できないという効果が得られる。メカだけでこのような効果を装備したシリンダーは、これまでに無く、画期的な発明である。
現在、市場に出ているどんなに優れた耐ピッキング性能を有したピンシリンダーであっても、メカ以外の特別な仕組みを組み合わせていない限り、時間をかければ必ず開錠可能になる。なぜなら、ピンの本数を多くして耐ピッキング性能を謳っているようなシリンダーの場合、ピッキング行為に対しては時間稼ぎにしか過ぎず、例えば個々のピンをピッキングによってシャーラインに揃えて行く行為を繰返し行えば必ず開錠可能になり、ピンを揃え違ったとしても、やり直しが何度でも出来、最後には開錠するに至る。言い換えれば、この点が本発明のアンチバンプキー・シリンダーと最も異なる部分であり、本発明の場合は、このような不正行為に対してデッドロック機能が働き、二度とやり直しが出来ない仕組みを作り上げている点が優れている。
従って、本発明のアンチバンプキー・シリンダーの出現によって、最も拡大の危険が懸念されているバンプキーによる犯罪に対して、完全なる防犯対策が可能となり、我々は、その犯罪の脅威から逃れることが出来る。
【図１】
2008050464.tif 000003
【図２】
2008050464.tif 000004
【図３】
2008050464.tif 000005
【図４】
2008050464.tif 000006
【図５】
2008050464.tif 000007
【図６】
2008050464.tif 000008
【図７】
2008050464.tif 000009
【図８】
2008050464.tif 000010
【図９】
2008050464.tif 000011
【図１０】
2008050464.tif 000012
【図１１】
2008050464.tif 000013
【図１２】
2008050464.tif 000014
【図１３】
2008050464.tif 000015
【図１４】
2008050464.tif 000016
【図１５】
2008050464.tif 000017
【図１６】
2008050464.tif 000018
【図１７】
2008050464.tif 000019
【図１８】
2008050464.tif 000020
【図１９】
2008050464.tif 000021
【図２０】
2008050464.tif 000022
【図２１】
2008050464.tif 000023
【図２２】
2008050464.tif 000024
【図２３】
2008050464.tif 000025
【図２４】
2008050464.tif 000026
【図２５】
2008050464.tif 000027
【図２６】
2008050464.tif 000028
【図２７】
2008050464.tif 000029
【図２８】
2008050464.tif 000030
【図２９】
2008050464.tif 000031
【図３０】
2008050464.tif 000032
【国際調査報告】
2008050464.tif 000033
2008050464.tif 000034
2008050464.tif 000035
2008050464.tif 000036